【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
フィールドプログラマブルゲートアレイ、
コンプレックスプログラマブルロジックデバイス、
マイクロコントローラ、
プロセッサ、または、
メモリのグループから成る１つまたは複数の能動的な電子コンポーネントと、
画像データを出力するための画像センサと、
を備える画像装置を準備するステップと、
医療処置の間に前記画像装置が動作できるようにするために画像装置メモリ内の制御値を設定するステップと、
を備える、
医療処置の間に使用するための医療用電子画像装置を処理するための方法。
【請求項２】
ユーザに搬送するために前記画像装置をパッケージするステップをさらに備え、
選択的に、且つ、好ましくは、
医療処置の間に使用するために前記画像装置を滅菌する（sterilizing）ステップをさらに備える、請求項１に記載の方法。
【請求項３】
請求項１に記載の方法であって、前記画像装置を試験装置に電子的に接続するステップをさらに備え、
選択的に、且つ、好ましくは、
（Ａ）
暗号セキュリティプロトコルを順守する(complying with)ことによって、前記試験装置の間の通信を認証するステップをさらに備え、
選択的に、且つ、好ましくは、
１）前記セキュリティプロトコルが前記画像装置から生じ、又は、
２）前記セキュリティプロトコルが前記試験装置から生じ、又は、
（Ｂ）
前記試験装置を別のコンピュータで制御するステップをさらに備え、
選択的に、且つ、好ましくは、
前記試験装置と前記別のコンピュータとの間の通信を暗号化するステップをさらに備え、
（Ｃ）
前記画像装置を前記試験装置から電子的に切断する(disconnecting)ステップをさらに備える、方法。
【請求項４】
請求項１に記載の方法であって、
前記画像装置から画像装置状態データを読み取るステップをさらに備え、
選択的に、且つ、好ましくは、
前記画像装置状態データが、
フィールドプログラマブルゲートアレイが生成した状態データ(condition data)と、
コンプレックスプログラマブルロジックデバイスが生成した状態データと、
マイクロコントローラが生成した状態データと、
プロセッサが生成した状態データと、
メモリが生成した状態データとの能動的な電子コンポーネントのうちの１つまたは複数から得たデータを備え、
選択的に、且つ、好ましくは、
前記画像装置データをコンピュータアクセス可能ストレージまたはメモリに格納するステップをさらに備える、方法。
【請求項５】
請求項１に記載の方法であって、更に、
（Ａ）
前記能動的な電子コンポーネントのうちの１つまたは複数についてのアップデートされたプログラミングを提供するステップと、
前記画像装置を滅菌するステップとを備え、
選択的に、且つ、好ましくは、
１）
前記画像装置を試験装置に電子的に接続するステップをさらに備え、
選択的に、且つ、好ましくは、
暗号セキュリティプロトコルを順守することによって、前記試験装置の間の通信を認証するステップをさらに備え、
選択的に、且つ、好ましくは、
ａ）  前記セキュリティプロトコルが前記画像装置から生じ、又は、
ｂ）  前記セキュリティプロトコルが前記試験装置から生じ、
２）
前記方法が更に、
前記試験装置を別のコンピュータで制御するステップをさらに備え、
選択的に、且つ、好ましくは、
前記試験装置と前記別のコンピュータとの間の通信を暗号化するステップをさらに備え、
（Ｂ）
前記画像装置から画像装置状態データを読み取るステップを備え、
前記画像装置状態データが、
フィールドプログラマブルゲートアレイが生成した状態データと、
コンプレックスプログラマブルロジックデバイスが生成した状態データと、
マイクロコントローラが生成した状態データと、
プロセッサが生成した状態データと、
メモリが生成した状態データと、
の能動的な電子コンポーネントのうちの１つまたは複数から得たデータを備え、
選択的に、且つ、好ましくは、
前記画像装置データをコンピュータアクセス可能ストレージまたはメモリに格納するステップをさらに備え、
（Ｃ）
ネットワークを介して前記アップデートされたプログラミングを送受信するステップをさらに備え、
（Ｄ）
外科手術の間に使用するために前記画像装置を制御装置に接続して、前記制御装置から前記アップデートされたプログラミングを受信するステップをさらに備え、
選択的に、且つ、好ましくは、
１）  前記アップデートされたプログラミングを、ネットワークを介して前記制御装置に提供するステップをさらに備え、又は、
２）  暗号セキュリティプロトコルを順守することによって、前記制御装置と前記画像装置の間の通信を認証するステップをさらに備え、
選択的に、且つ、好ましくは、
ａ）  前記セキュリティプロトコルが前記画像装置から生じ、又は、
ｂ）  前記セキュリティプロトコルが前記制御装置から生じ、
３）  前記制御装置を別のコンピュータで制御するステップをさらに備え、
選択的に、且つ、好ましくは、
前記制御装置と前記別のコンピュータとの間の通信を暗号化するステップをさらに備え、
４）  前記画像装置から画像装置状態データを読み取るステップをさらに備え、
前記画像装置状態データが、
フィールドプログラマブルゲートアレイが生成した状態データと、
コンプレックスプログラマブルロジックデバイスが生成した状態データと、
マイクロコントローラが生成した状態データと、
プロセッサが生成した状態データと、
メモリが生成した状態データと、
の能動的な電子コンポーネントのうちの１つまたは複数から得たデータを備え、
選択的に、且つ、好ましくは、
ａ）  前記画像装置データをコンピュータアクセス可能ストレージまたはメモリに格納するステップをさらに備え、又は、
ｂ）  ネットワークを介して前記画像装置データを送受信するステップをさらに備え、
選択的に、且つ、好ましくは、
活動している画像装置を制御するために前記画像装置データによって前記画像装置をトラックするステップをさらに備える、方法。
【請求項６】
請求項１に記載の方法であって、更に、
前記画像装置を試験装置に電子的に接続するステップと、
前記画像装置に内蔵された暗号セキュリティプロトコルを順守することによって、前記画像装置と前記試験装置との間の通信を認証するステップと、
前記画像装置から画像装置状態データを読み取るステップであって、
前記画像装置状態データが、
フィールドプログラマブルゲートアレイが生成した状態データと、
コンプレックスプログラマブルロジックデバイスが生成した状態データと、
マイクロコントローラが生成した状態データと、
プロセッサが生成した状態データと、
メモリが生成した状態データと、
の能動的な電子コンポーネントのうちの１つまたは複数から得たデータを備えるステップと、
前記画像装置状態データをコンピュータアクセス可能ストレージまたはメモリに格納するステップと、
医療処置の間に前記画像装置が動作できるようにするために画像装置メモリ内の制御値を設定するステップと、
前記画像装置を前記試験装置から電子的に切断するステップとを備え、
選択的に、且つ、好ましくは、
Ａ）
前記画像装置が使用された回数を表す画像装置メモリ内の使用値をインクリメントするステップをさらに備え、又は、
Ｂ）
フィールドプログラマブルゲートアレイ、
コンプレックスプログラマブルロジックデバイス、
マイクロコントローラ、
プロセッサ、
メモリの能動的なコンポーネント、
のうちの１つまたは複数に構成命令を書き込むステップをさらに備え、
選択的に、且つ、好ましくは、
前記構成命令が、
フィールドプログラマブルゲートアレイ、
コンプレックスプログラマブルロジックデバイス、
マイクロコントローラ、
プロセッサ、
メモリ、
の能動的なコンポーネントのうちの１つまたは複数の動作をアップデートし、
Ｃ）
前記画像装置の前記コンポーネントの動作適正を試験するために、前記画像装置のコンポーネントを試験するステップをさらに備え、
選択的に、且つ、好ましくは、
前記動作適正試験に不合格だった前記画像装置のコンポーネントを交換するステップをさらに備え、
Ｄ）
前記画像装置を滅菌するステップをさらに備え、
選択的に、且つ、好ましくは、
１）  前記画像装置をエチレンオキシドで滅菌するステップを備え、又は、
２）  前記画像装置をガンマ放射線で滅菌するステップを備え、又は、
３）  前記画像装置を、アルコール、アルデヒド、および酸化剤のグループから選ばれた１つまたは複数の化学物質で滅菌するステップを備え、
Ｅ）
使用済みの画像装置をユーザから収集するステップをさらに備え、
Ｆ）
格納および転送する間、前記画像装置を保護および保持するために、前記画像装置をコンテナにパッケージするステップをさらに備え、
選択的に、且つ、好ましくは、
１）  使用後に使用済み画像装置をバイオハザードコンテナ(biohazard container)に収集して、バイオハザード物質についての業界標準に従って転送するために準備するステップをさらに備え、
選択的に、且つ、好ましくは、
業界標準に従って前記使用済み画像装置および前記バイオハザードコンテナを密封するステップをさらに備え、
２）  格納および転送する間、前記画像装置を保護および保持するために前記画像装置がトレイにパッケージされるステップを更に備え、
３）  格納および転送する間、前記画像装置を保護および保持するために前記画像装置がポーチにパッケージされるステップを更に備え、
Ｇ）
前記画像装置と試験装置との間の通信を認証するステップが
前記試験装置から前記画像装置に公開鍵を送信するステップと、
前記公開鍵を確認するステップと、
前記画像装置から前記試験装置に秘密鍵を送信するステップと、
前記秘密鍵を確認するステップと、
前記画像装置と前記試験装置との間の電子通信を可能にするステップとを備え、
選択的に、且つ、好ましくは、
１）  前記画像装置に送信する前に、前記公開鍵を暗号化するステップをさらに備え、又は、
２）  前記試験装置に送信する前に、前記秘密鍵を暗号化するステップをさらに備える、方法。
【請求項７】
前記画像装置をエチレンオキシドで滅菌するステップをさらに備える、請求項１に記載の方法。
【請求項８】
前記画像装置をガンマ放射線で滅菌するステップをさらに備える、請求項１に記載の方法。
【請求項９】
前記画像装置を、アルコール、アルデヒド、および酸化剤のグループから選択された１つまたは複数の化学物質で滅菌するステップをさらに備える、請求項１に記載の方法。